(57)【特許請求の範囲】
【請求項１】
被写体の画像を撮像して、複数の圧縮率のうちの所定圧縮率で圧縮し、記憶媒体にこの圧縮した画像を記憶する画像データ記憶装置において、
前記複数の圧縮率のうち所定の圧縮率を指示する指示手段と、
この指示手段により指示された圧縮率より低い圧縮率で前記撮像した画像を圧縮して前記記憶媒体に記憶するとともに、該画像データと対応付けて該画像データが前記指示された圧縮率より低い圧縮率で圧縮して記憶された画像データであることを示す情報を記憶する第１の記憶制御手段と、
前記記憶媒体の記憶容量を検出するメモリ容量検出手段と、
前記メモリ容量検出手段により検出された記憶容量により画像データを記憶することが不可能であると判断したとき、前記記憶媒体に記憶されている画像データのうち前記情報が対応付けて記憶されている画像データを前記指示された圧縮率で再圧縮する再圧縮手段と、
前記メモリ容量検出手段により検出された記憶容量により画像データを記憶することが不可能であると判断したとき、前記記憶媒体に記憶されている画像データのうち前記情報が対応付けて記憶されている画像データを消去する消去手段と、
この消去手段により消去された画像データが記憶されていた記憶領域に前記再圧縮手段により再圧縮された画像データを記憶する第２の記憶制御手段と
を備えたことを特徴とする画像データ記憶装置。
【請求項２】
前記第１の記憶制御手段は、前記指示手段により前記所定の圧縮率が指示された場合、該指示された所定の圧縮率より低い圧縮率で前記撮像した画像を圧縮して前記記憶媒体に記憶するとともに、該画像データと対応付けて、該画像データが前記指示された所定の圧縮率より低い圧縮率で圧縮して記憶された画像データであることを示す情報として前記指示された所定の圧縮率に関する情報を記憶し、
前記再圧縮手段は、前記メモリ容量検出手段により検出された記憶容量により画像データを記憶することが不可能であると判断したとき、前記記憶媒体に記憶されている画像データのうち前記所定の圧縮率に関する情報が対応付けて記憶されている画像データを前記指示された所定の圧縮率で再圧縮し、
前記消去手段は、前記メモリ容量検出手段により検出された記憶容量により画像データを記憶することが不可能であると判断したとき、前記記憶媒体に記憶されている画像データのうち前記所定の圧縮率に関する情報が対応付けて記憶されている画像データを消去することを特徴とする請求項１記載の画像データ記憶装置。
【請求項３】
前記記憶媒体は、前記所定の圧縮率に関する情報を記憶する圧縮率領域と圧縮画像を記憶する画像領域を備え、
前記第１の記憶制御手段は、前記圧縮画像を前記画像領域に記憶するとともに、前記所定の圧縮率に関する情報を前記圧縮率領域に記憶することを特徴とする請求項２記載の画像データ記憶装置。
【請求項４】
前記指示手段は、前記複数の圧縮率のうち前記所定の圧縮率よりも低い圧縮率を指示する手段を含み、
前記第１の記憶制御手段は、前記指示手段により前記所定の圧縮率より低い圧縮率が指示された場合、該指示された所定の圧縮率より低い圧縮率で前記撮像した画像を圧縮して前記記憶媒体に記憶するとともに、該画像データと対応付けて前記指示された所定の圧縮率より低い圧縮率に関する情報を記憶する手段を含むことを請求項２記載の画像データ記憶装置。
【請求項５】
前記記憶媒体に画像データと対応付けて記憶されている前記所定の圧縮率に関する情報及び又は前記所定の圧縮率よりも低い圧縮率に関する情報を、前記所定の圧縮率よりも低い圧縮率に関する情報及び又は前記所定の圧縮率に関する情報に変更する情報変更手段を更に備えたことを請求項４記載の画像データ記憶装置。
【請求項６】
撮像画像を第１の圧縮率で圧縮して記憶媒体に記憶する第１の記憶モードと、該第１の圧縮率より高い圧縮率で撮像画像を圧縮して該記憶媒体に記憶する第２の記憶モードとを有し、モード情報とともに圧縮画像データを記憶する画像データ記憶方法において、
画像データの取り込み時に前記第２の記憶モードが指定されていても、前記記憶媒体の記憶容量に余裕があるときは取り込んだ画像データに対して前記第１の記憶モードに基づく処理を行い、該圧縮画像データと前記第２の記憶モードが指定されていたことを示すモード情報とを共に記憶することを特徴とする画像データ記憶方法。
【請求項７】
前記記憶媒体の記憶容量が不足したときに、前記第２の記憶モードが指定されていたことを示すモード情報と共に記憶されている画像データを、該第２の記憶モードで再記憶することを特徴とする請求項６記載の画像データ記憶方法。
【請求項８】
撮像画像を相対的に高画質で情報量の多い画像データとなるように処理を行ってメモリに保存する第１の撮像モードと、撮像画像を相対的に低画質で情報量の少ない画像データとなるように処理を行って前記メモリに保存する第２の撮像モードとを有し、モード情報とともに画像データを記憶するデジタルカメラにおける撮像方法であって、
撮像時に前記第２の撮像モードが指定されていても、前記相対的に高画質で情報量の多い第１の撮像モードで撮像して得られた画像データを、前記第２の撮像モードが指定されていたことを示すモード情報と共に前記メモリに記憶しておき、前記メモリの残量が所定容量より少なくなった際には、前記第２の撮像モードが指定されていたことを示すモード情報と共に前記メモリに記憶されている画像データを、前記相対的に低画質で情報量の少ない画像データに変換して前記メモリに保存することを特徴とする撮像方法。
【請求項９】
撮像画像を相対的に高画質で情報量の多い画像データとなるように処理を行ってメモリに保存する第１の撮像モードと、撮像画像を相対的に低画質で情報量の少ない画像データとなるように処理を行って前記メモリに保存する第２の撮像モードとを有し、モード情報とともに画像データを記憶するデジタルカメラにおける撮像方法であって、
撮像時に前記第２の撮像モードが指定されていても、前記相対的に高画質で情報量の多い第１の撮像モードで撮像して得られた画像データを、前記第２の撮像モードが指定されていたことを示すモード情報と共に前記メモリに記憶しておき、所定の操作により、前記第２の撮像モードを示すモード情報を前記第１の撮像モードを示すモード情報に変更可能であることを特徴とする撮像方法。
【請求項１０】
撮像画像を相対的に高画質で情報量の多い画像データとなるように処理を行ってメモリに保存する第１の撮像モードと、撮像画像を相対的に低画質で情報量の少ない画像データとなるように処理を行って前記メモリに保存する第２の撮像モードとを有し、モード情報とともに画像データを記憶できると共にパーソナルコンピュータと接続できるデジタルカメラにおける撮像方法であって、
撮像時に前記第２の撮像モードが指定されていても、前記相対的に高画質で情報量の多い第１の撮像モードで撮像して得られた画像データを、前記第２の撮像モードが指定されていたことを示すモード情報と共に前記メモリに記憶しておき、前記デジタルカメラから前記パーソナルコンピュータへ画像データを転送する際は、前記第２の撮像モードが指定されていたことを示すモード情報と共に前記メモリに記憶されている画像データも前記相対的に低画質で情報量の少ない画像データに変換することなく前記相対的に高画質で情報量の多い画像データのまま転送することを特徴とする撮像方法。
【請求項１１】
撮像画像を相対的に高画質で情報量の多い画像データとなるように処理を行ってメモリに保存する第１の撮像モードと、撮像画像を相対的に低画質で情報量の少ない画像データとなるように処理を行って前記メモリに保存する第２の撮像モードとを有し、モード情報とともに画像データを記憶できると共にパーソナルコンピュータと接続できるデジタルカメラによって実行されるプログラムを記憶した記憶媒体であって、
撮像時に前記第２の撮像モードが指定されていても、前記相対的に高画質で情報量の多い第１の撮像モードで撮像して得られた画像データを、前記第２の撮像モードが指定されていたことを示すモード情報と共に前記メモリに記憶するプログラムステップと、
前記デジタルカメラから前記パーソナルコンピュータへ画像データを転送する際は、前記第２の撮像モードが指定されていたことを示すモード情報と共に前記メモリに記憶されている画像データも前記相対的に低画質で情報量の少ない画像データに変換することなく前記相対的に高画質で情報量の多い画像データのまま転送するプログラムステップと、
を含むことを特徴とする記憶媒体。
【発明の詳細な説明】
【０００１】
【発明の属する技術分野】
本発明は、デジタルカメラ等の画像データ記憶装置、画像データ記憶方法、撮像方法、及び記憶媒体に係り、特に撮像して記憶媒体に記憶された画像の画質レベルを変更可能な画像データ記憶装置、画像データ記憶方法、撮像方法、及び記憶媒体に関する。
【０００２】
【従来の技術】
近時、撮像した画像をフィルムの代わりに電子的に記憶するデジタルカメラ（電子カメラ）が普及している。かかるデジタルカメラは、撮影者がシャッターを押すと、レンズを通った被写体の画像がＣＣＤ素子によって捕捉され、カメラ内部の回路を通じてデータ圧縮等がなされて内部の記憶媒体に書き込まれる。
【０００３】
また、デジタルカメラにおいては、撮影時に操作者が画質レベルを選択して、この選択された画質レベルに応じたデータ圧縮率で、撮像した画像を圧縮して記録するものも知られている。
【０００４】
【発明が解決しようとする課題】
しかしながら、従来のデジタルカメラにあっては、撮影時に画質レベルを選択して撮影をおこなっていたため、画質レベルを間違って撮影してしまったり、撮影後に画質レベルを変更できない等の問題があった。また、画質レベルを設定していたためシャッターチャンスを逃してしまう等の問題があった。
【０００５】
更に、記憶媒体の残記憶容量が不足した場合には、必要のなくなった画像データを操作者が消去しなければならず、その操作が煩わしいという問題があった。
【０００６】
本発明は、上記課題に鑑みてなされたものであり、撮影後に画質レベルを変更したり、自動的に新たに撮影する画像を記憶するための記憶領域を確保できる画像データ記憶装置、画像データ記憶方法、撮像方法、及び記憶媒体を提供することを目的とする。
【０００７】
【課題を解決するための手段】
請求項１記載の画像データ記憶装置は、被写体の画像を撮像して、複数の圧縮率のうちの所定圧縮率で圧縮し、記憶媒体にこの圧縮した画像を記憶する画像データ記憶装置において、前記複数の圧縮率のうち所定の圧縮率を指示する指示手段と、この指示手段により指示された圧縮率より低い圧縮率で前記撮像した画像を圧縮して前記記憶媒体に記憶するとともに、該画像データと対応付けて該画像データが前記指示された圧縮率より低い圧縮率で圧縮して記憶された画像データであることを示す情報を記憶する第１の記憶制御手段と、前記記憶媒体の記憶容量を検出するメモリ容量検出手段と、前記メモリ容量検出手段により検出された記憶容量により画像データを記憶することが不可能であると判断したとき、前記記憶媒体に記憶されている画像データのうち前記情報が対応付けて記憶されている画像データを前記指示された圧縮率で再圧縮する再圧縮手段と、前記メモリ容量検出手段により検出された記憶容量により画像データを記憶することが不可能であると判断したとき、前記記憶媒体に記憶されている画像データのうち前記情報が対応付けて記憶されている画像データを消去する消去手段と、この消去手段により消去された画像データが記憶されていた記憶領域に前記再圧縮手段により再圧縮された画像データを記憶する第２の記憶制御手段とを備えたことを特徴としている。
【０００８】
すなわち、請求項１記載の画像データ記憶装置によれば、被写体の画像を撮像して、複数の圧縮率のうちの所定圧縮率で圧縮し、記憶媒体にこの圧縮した画像を記憶する画像データ記憶装置において、指示手段は複数の圧縮率のうち所定の圧縮率を指示し、第１の記憶制御手段は指示手段により指示された圧縮率より低い圧縮率で撮像した画像を圧縮して記憶媒体に記憶するとともに、該画像データと対応付けて該画像データが指示された圧縮率より低い圧縮率で圧縮して記憶された画像データであることを示す情報を記憶し、メモリ容量検出手段は記憶媒体の記憶容量を検出し、再圧縮手段はメモリ容量検出手段により検出された記憶容量により画像データを記憶することが不可能であると判断したとき、記憶媒体に記憶されている画像データのうち情報が対応付けて記憶されている画像データを指示された圧縮率で再圧縮し、消去手段はメモリ容量検出手段により検出された記憶容量により画像データを記憶することが不可能であると判断したとき、記憶媒体に記憶されている画像データのうち情報が対応付けて記憶されている画像データを消去し、第２の記憶制御手段は消去手段により消去された画像データが記憶されていた記憶領域に再圧縮手段により再圧縮された画像データを記憶する。
【０００９】
したがって、指示された画像の圧縮率よりも低い圧縮率で撮像した画像データを記憶媒体に記憶する構成である故、常に、高画質で画像データを記憶することが可能となり、操作者の使い勝手が良くなる。
また、記憶媒体のメモリ容量を確認して、残メモリ容量がないと判断した場合に、記憶媒体に記憶されている画像データをより低い画質レベルで再圧縮する構成である故、自動的に、新たに撮影する画像を記憶するための記憶領域を確保することが可能となり、操作者の使い勝手が良くなる。
【００１３】
また、この場合、請求項２記載の画像データ記憶装置の如く、前記第１の記憶制御手段は、前記指示手段により前記所定の圧縮率が指示された場合、該指示された所定の圧縮率より低い圧縮率で前記撮像した画像を圧縮して前記記憶媒体に記憶するとともに、該画像データと対応付けて、該画像データが前記指示された所定の圧縮率より低い圧縮率で圧縮して記憶された画像データであることを示す情報として前記指示された所定の圧縮率に関する情報を記憶し、前記再圧縮手段は、前記メモリ容量検出手段により検出された記憶容量により画像データを記憶することが不可能であると判断したとき、前記記憶媒体に記憶されている画像データのうち前記所定の圧縮率に関する情報が対応付けて記憶されている画像データを前記指示された所定の圧縮率で再圧縮し、前記消去手段は、前記メモリ容量検出手段により検出された記憶容量により画像データを記憶することが不可能であると判断したとき、前記記憶媒体に記憶されている画像データのうち前記所定の圧縮率に関する情報が対応付けて記憶されている画像データを消去することが有効である。
即ち、請求項２記載の画像データ記憶装置によれば、請求項１記載の画像データ記憶装置において、第１の記憶制御手段は、指示手段により所定の圧縮率が指示された場合、該指示された所定の圧縮率より低い圧縮率で撮像した画像を圧縮して記憶媒体に記憶するとともに、該画像データと対応付けて、該画像データが指示された所定の圧縮率より低い圧縮率で圧縮して記憶された画像データであることを示す情報として指示された所定の圧縮率に関する情報を記憶し、再圧縮手段は、メモリ容量検出手段により検出された記憶容量により画像データを記憶することが不可能であると判断したとき、記憶媒体に記憶されている画像データのうち所定の圧縮率に関する情報が対応付けて記憶されている画像データを指示された所定の圧縮率で再圧縮し、消去手段は、メモリ容量検出手段により検出された記憶容量により画像データを記憶することが不可能であると判断したとき、記憶媒体に記憶されている画像データのうち所定の圧縮率に関する情報が対応付けて記憶されている画像データを消去する。
【００１４】
また、この場合、請求項３記載の画像データ記憶装置の如く、前記記憶媒体は、前記所定の圧縮率に関する情報を記憶する圧縮率領域と圧縮画像を記憶する画像領域を備え、
前記第１の記憶制御手段は、前記圧縮画像を前記画像領域に記憶するとともに、前記所定の圧縮率に関する情報を前記圧縮率領域に記憶することが有効である。
即ち、請求項３記載の画像データ記憶装置によれば、請求項２記載の画像データ記憶装置において、記憶媒体は、所定の圧縮率に関する情報を記憶する圧縮率領域と圧縮画像を記憶する画像領域を備え、第１の記憶制御手段は、圧縮画像を画像領域に記憶するとともに、所定の圧縮率に関する情報を圧縮率領域に記憶する。
【００１５】
したがって、記憶媒体の圧縮率領域に画像データの圧縮率の情報を記憶する一方、画像領域に圧縮画像データを記憶する構成であるので、記憶媒体において、所望の圧縮率の画像を指定することが容易となる。
【００１６】
また、この場合、請求項４記載の画像データ記憶装置の如く、前記指示手段は、前記複数の圧縮率のうち前記所定の圧縮率よりも低い圧縮率を指示する手段を含み、前記第１の記憶制御手段は、前記指示手段により前記所定の圧縮率より低い圧縮率が指示された場合、該指示された所定の圧縮率より低い圧縮率で前記撮像した画像を圧縮して前記記憶媒体に記憶するとともに、該画像データと対応付けて前記指示された所定の圧縮率より低い圧縮率に関する情報を記憶する手段を含むことを特徴としている。
即ち、請求項４記載の画像データ記憶装置によれば、請求項２記載の画像データ記憶装置において、指示手段は、複数の圧縮率のうち所定の圧縮率よりも低い圧縮率を指示する手段を含み、第１の記憶制御手段は、指示手段により所定の圧縮率より低い圧縮率が指示された場合、該指示された所定の圧縮率より低い圧縮率で撮像した画像を圧縮して記憶媒体に記憶するとともに、該画像データと対応付けて指示された所定の圧縮率より低い圧縮率に関する情報を記憶する手段を含む。
【００１７】
また、この場合、請求項５記載の画像データ記憶装置の如く、前記記憶媒体に画像データと対応付けて記憶されている前記所定の圧縮率に関する情報及び又は前記所定の圧縮率よりも低い圧縮率に関する情報を、前記所定の圧縮率よりも低い圧縮率に関する情報及び又は前記所定の圧縮率に関する情報に変更する情報変更手段を更に備えたことを特徴としている。
即ち、請求項５記載の画像データ記憶装置によれば、請求項４記載の画像データ記憶装置において、記憶媒体に画像データと対応付けて記憶されている所定の圧縮率に関する情報及び又は所定の圧縮率よりも低い圧縮率に関する情報を、所定の圧縮率よりも低い圧縮率に関する情報及び又は所定の圧縮率に関する情報に変更する情報変更手段を更に備える。
【００１８】
したがって、記憶媒体の圧縮率領域に記憶した圧縮率情報を変更可能な構成である故、操作者が、撮影時には高画質のまま保存したいと考えていたが、低画質に変更してもよいと考える場合や、逆に、撮影時には低画質に変更してもよいと考えていたが、高画質のまま保存したいと考えが変わった場合に対処可能となり、使い勝手が良くなる。
【００１９】
また、請求項６記載の画像データ記憶方法は、撮像画像を第１の圧縮率で圧縮して記憶媒体に記憶する第１の記憶モードと、該第１の圧縮率より高い圧縮率で撮像画像を圧縮して該記憶媒体に記憶する第２の記憶モードとを有し、モード情報とともに圧縮画像データを記憶する画像データ記憶方法において、画像データの取り込み時に前記第２の記憶モードが指定されていても、前記記憶媒体の記憶容量に余裕があるときは取り込んだ画像データに対して前記第１の記憶モードに基づく処理を行い、該圧縮画像データと前記第２の記憶モードが指定されていたことを示すモード情報とを共に記憶することを特徴としている。
【００２０】
すなわち、請求項６記載の画像データ記憶方法によれば、撮像画像を第１の圧縮率で圧縮して記憶媒体に記憶する第１の記憶モードと、該第１の圧縮率より高い圧縮率で撮像画像を圧縮して該記憶媒体に記憶する第２の記憶モードとを有し、モード情報とともに圧縮画像データを記憶する画像データ記憶方法において、画像データの取り込み時に第２の記憶モードが指定されていても、記憶媒体の記憶容量に余裕があるときは取り込んだ画像データに対して第１の記憶モードに基づく処理を行い、該圧縮画像データと第２の記憶モードが指定されていたことを示すモード情報とを共に記憶する。
【００２３】
また、この場合、請求項７記載の画像データ記憶方法の如く、前記記憶媒体の記憶容量が不足したときに、前記第２の記憶モードが指定されていたことを示すモード情報と共に記憶されている画像データを、該第２の記憶モードで再記憶することが有効である。
【００２４】
即ち、請求項７記載の画像データ記憶方法によれば、請求項６記載の画像データ記憶方法において、記憶媒体の記憶容量が不足したときに、第２の記憶モードが指定されていたことを示すモード情報と共に記憶されている画像データを、該第２の記憶モードで再記憶する。
【００２５】
請求項８記載の撮像方法は、撮像画像を相対的に高画質で情報量の多い画像データとなるように処理を行ってメモリに保存する第１の撮像モードと、撮像画像を相対的に低画質で情報量の少ない画像データとなるように処理を行って前記メモリに保存する第２の撮像モードとを有し、モード情報とともに画像データを記憶するデジタルカメラにおける撮像方法であって、撮像時に前記第２の撮像モードが指定されていても、前記相対的に高画質で情報量の多い第１の撮像モードで撮像して得られた画像データを、前記第２の撮像モードが指定されていたことを示すモード情報と共に前記メモリに記憶しておき、前記メモリの残量が所定容量より少なくなった際には、前記第２の撮像モードが指定されていたことを示すモード情報と共に前記メモリに記憶されている画像データを、前記相対的に低画質で情報量の少ない画像データに変換して前記メモリに保存することを特徴としている。
【００２６】
請求項８記載の撮像方法によれば、撮像画像を相対的に高画質で情報量の多い画像データとなるように処理を行ってメモリに保存する第１の撮像モードと、撮像画像を相対的に低画質で情報量の少ない画像データとなるように処理を行ってメモリに保存する第２の撮像モードとを有し、モード情報とともに画像データを記憶するデジタルカメラにおける撮像方法であって、撮像時に第２の撮像モードが指定されていても、相対的に高画質で情報量の多い第１の撮像モードで撮像して得られた画像データを、第２の撮像モードが指定されていたことを示すモード情報と共にメモリに記憶しておき、メモリの残量が所定容量より少なくなった際には、第２の撮像モードが指定されていたことを示すモード情報と共にメモリに記憶されている画像データを、相対的に低画質で情報量の少ない画像データに変換してメモリに保存する。
【００２７】
したがって、新たに撮像する画像を記憶するための所定容量を自動的に確保することができ、予期しないシャッターチャンスで撮影時にメモリ残量の確認をできなかった場合等にも、操作者の意志に反して必要な画像に上書きされてしまう、撮像した画像が保存されない等の問題点を解消することができ、操作者の使い勝手が良くなる。
【００２８】
請求項９記載の撮像方法は、撮像画像を相対的に高画質で情報量の多い画像データとなるように処理を行ってメモリに保存する第１の撮像モードと、撮像画像を相対的に低画質で情報量の少ない画像データとなるように処理を行って前記メモリに保存する第２の撮像モードとを有し、モード情報とともに画像データを記憶するデジタルカメラにおける撮像方法であって、撮像時に前記第２の撮像モードが指定されていても、前記相対的に高画質で情報量の多い第１の撮像モードで撮像して得られた画像データを、前記第２の撮像モードが指定されていたことを示すモード情報と共に前記メモリに記憶しておき、所定の操作により、前記第２の撮像モードを示すモード情報を前記第１の撮像モードを示すモード情報に変更可能であることを特徴としている。
【００２９】
請求項９記載の撮像方法によれば、撮像画像を相対的に高画質で情報量の多い画像データとなるように処理を行ってメモリに保存する第１の撮像モードと、撮像画像を相対的に低画質で情報量の少ない画像データとなるように処理を行ってメモリに保存する第２の撮像モードとを有し、モード情報とともに画像データを記憶するデジタルカメラにおける撮像方法であって、撮像時に第２の撮像モードが指定されていても、相対的に高画質で情報量の多い第１の撮像モードで撮像して得られた画像データを、第２の撮像モードが指定されていたことを示すモード情報と共にメモリに記憶しておき、所定の操作により、第２の撮像モードを示すモード情報を第１の撮像モードを示すモード情報に変更可能である。
【００３０】
したがって、撮影時に誤った撮像モード指定をしてしまった場合、撮影時には相対的に低画質な画像でよいと判断したが後に高画質な画像が必要になった場合、予期しないシャッターチャンスで撮影時に操作者の意志で撮像モードを指定できなかった場合等にも、撮像画像を相対的に高画質な画像データとしてメモリに保存し、撮影後に所定の操作により当該撮像画像を相対的に高画質な画像データのまま保存するようにモード変更をすることができる。
【００３１】
請求項１０記載の撮像方法は、撮像画像を相対的に高画質で情報量の多い画像データとなるように処理を行ってメモリに保存する第１の撮像モードと、撮像画像を相対的に低画質で情報量の少ない画像データとなるように処理を行って前記メモリに保存する第２の撮像モードとを有し、モード情報とともに画像データを記憶できると共にパーソナルコンピュータと接続できるデジタルカメラにおける撮像方法であって、撮像時に前記第２の撮像モードが指定されていても、前記相対的に高画質で情報量の多い第１の撮像モードで撮像して得られた画像データを、前記第２の撮像モードが指定されていたことを示すモード情報と共に前記メモリに記憶しておき、前記デジタルカメラから前記パーソナルコンピュータへ画像データを転送する際は、前記第２の撮像モードが指定されていたことを示すモード情報と共に前記メモリに記憶されている画像データも前記相対的に低画質で情報量の少ない画像データに変換することなく前記相対的に高画質で情報量の多い画像データのまま転送することを特徴としている。
【００３２】
請求項１０記載の撮像方法によれば、撮像画像を相対的に高画質で情報量の多い画像データとなるように処理を行ってメモリに保存する第１の撮像モードと、撮像画像を相対的に低画質で情報量の少ない画像データとなるように処理を行ってメモリに保存する第２の撮像モードとを有し、モード情報とともに画像データを記憶できると共にパーソナルコンピュータと接続できるデジタルカメラにおける撮像方法であって、撮像時に第２の撮像モードが指定されていても、相対的に高画質で情報量の多い第１の撮像モードで撮像して得られた画像データを、第２の撮像モードが指定されていたことを示すモード情報と共にメモリに記憶しておき、デジタルカメラからパーソナルコンピュータへ画像データを転送する際は、第２の撮像モードが指定されていたことを示すモード情報と共にメモリに記憶されている画像データも相対的に低画質で情報量の少ない画像データに変換することなく相対的に高画質で情報量の多い画像データのまま転送する。
【００３３】
また、請求項１１記載の記憶媒体は、撮像画像を相対的に高画質で情報量の多い画像データとなるように処理を行ってメモリに保存する第１の撮像モードと、撮像画像を相対的に低画質で情報量の少ない画像データとなるように処理を行って前記メモリに保存する第２の撮像モードとを有し、モード情報とともに画像データを記憶できると共にパーソナルコンピュータと接続できるデジタルカメラによって実行されるプログラムを記憶した記憶媒体であって、撮像時に前記第２の撮像モードが指定されていても、前記相対的に高画質で情報量の多い第１の撮像モードで撮像して得られた画像データを、前記第２の撮像モードが指定されていたことを示すモード情報と共に前記メモリに記憶するプログラムステップと、前記デジタルカメラから前記パーソナルコンピュータへ画像データを転送する際は、前記第２の撮像モードが指定されていたことを示すモード情報と共に前記メモリに記憶されている画像データも前記相対的に低画質で情報量の少ない画像データに変換することなく前記相対的に高画質で情報量の多い画像データのまま転送するプログラムステップと、を含むことを特徴としている。
【００３４】
請求項１１記載の記憶媒体によれば、撮像画像を相対的に高画質で情報量の多い画像データとなるように処理を行ってメモリに保存する第１の撮像モードと、撮像画像を相対的に低画質で情報量の少ない画像データとなるように処理を行ってメモリに保存する第２の撮像モードとを有し、モード情報とともに画像データを記憶できると共にパーソナルコンピュータと接続できるデジタルカメラによって実行されるプログラムを記憶した記憶媒体であって、撮像時に第２の撮像モードが指定されていても、相対的に高画質で情報量の多い第１の撮像モードで撮像して得られた画像データを、第２の撮像モードが指定されていたことを示すモード情報と共にメモリに記憶するプログラムステップと、デジタルカメラからパーソナルコンピュータへ画像データを転送する際は、第２の撮像モードが指定されていたことを示すモード情報と共にメモリに記憶されている画像データも相対的に低画質で情報量の少ない画像データに変換することなく相対的に高画質で情報量の多い画像データのまま転送するプログラムステップと、を含む。
【００３５】
したがって、撮影時には相対的に低画質な画質でよいと指定された画像データでも高画質の画像データとしてコンピュータに転送することが可能であるので、コンピュータによる画像編集、印刷等の各種処理時に高画質な画像データとして扱うことができる等の利点がある。
【００３６】
【発明の実施の形態】
以下、図１〜図９を参照して本発明が適用される好適な実施の形態を説明する。
【００３７】
（第１の実施の形態）
図１〜図５は、本発明をデジタルカメラに適用した第１の実施の形態を示す図である。
まず、構成を説明する。
【００３８】
図１は、本実施の形態のデジタルカメラ１の外観構成を示す斜視図である。
図１においてデジタルカメラ１は、カメラ部３と本体部２とから構成されており、このカメラ部３と本体部２とは相対的に回転自在に結合されている。
【００３９】
カメラ部３には、図中背面側に撮像レンズ７が設けられており、このカメラ部３を本体部２を軸にして図中前方、或いは後方に回転させることで、撮像レンズ７の位置を、例えば、図中前面側の位置に移動させるなど、様々な位置に設定することができる。図１では、後方に１８０°回動した状態を示している。
【００４０】
一方、本体部２には、図中前面側にＬＣＤ６（Liquid Crystal Display：液晶ディスプレイ）が設けられている。このＬＣＤ６には、撮影時に撮像レンズ７を介して取り込んだ被写体の画像を表示することが、また、撮影後に撮像した画像を再生表示することができる。また、このＬＣＤ６右側には、上下へのスライド操作により撮影モード、設定モード、再生モード、及び通信モードなどの切換えを指示するファンクション切換キー１８が設けられている。
【００４１】
そして、本体部２は、ケース４の上面に、電源スイッチ８、「シャッター」キー９、［ＤＥＬ」キー１０、「＋」キー１１、「−」キー１２、「ＭＯＤＥ」キー１３、「ＤＳＰ（ディスプレイ）」キー１４、「画質変換」キー１５、「変換実行」キー１６、及び「画質モード」キー１９等を備えると共に、開閉蓋１７内に、図示しない外部電源端子、ビデオ出力端子、デジタル端子を備えている。また、ケース４の下面には開閉式の電池蓋（図示せず）が設けられている。
【００４２】
図２は、図１に示したデジタルカメラ１の回路構成を示すブロック図である。図２に示すデジタルカメラ１は、上記図１に示したＬＣＤ６と、ＣＣＤ２０、バッファ２１、Ａ／Ｄ変換器２２、駆動回路２３、タイミングジェネレータ２４、ＤＲＡＭ２５、圧縮／伸長回路２６、フラッシュメモリ２７、ＲＯＭ２８、ＲＡＭ２９、キー入力部３０、ＣＰＵ３１、シグナルジェネレータ３２、ＶＲＡＭ３３、Ｄ／Ａ変換器３４、バッファ３５、及びＩ／Ｏポート３６と、により構成されている。
【００４３】
ＣＣＤ（Charge Coupled Device ）２０は、フォトダイオードなどの受光部に転送電極を重ねた素子（画素）を平面状に多数配設した画素面と、各画素に蓄積された電荷を電圧に変換して出力する出力部とから構成される。撮像レンズ７を介して入射した光は前記画素面で受光され、各画素には受光量に比例した電荷が蓄積される。各画素の蓄積電荷は、駆動回路２３から供給される駆動信号に応じて前記出力部により電気信号として１画素分ずつ順次読み出され、撮像信号（アナログ信号）としてバッファ２１を介してＡ／Ｄ変換器２２に出力される。
【００４４】
Ａ／Ｄ（Analog to Digital）変換器２２は、ＣＣＤ２０からバッファ２１を介して入力される撮像信号をアナログ信号からデジタル信号に変換し、これをタイミングジェネレータ２４に供給する。
【００４５】
駆動回路２３は、タイミングジェネレータ２４から供給されるタイミング信号に基づいてＣＣＤ２０の露光及び読み出しタイミングを駆動制御する。また、タイミングジェネレータ２４は、ＣＰＵ３１から入力される映像取り込み信号に基づいて駆動回路２３を制御するタイミング信号を生成する。
【００４６】
ＤＲＡＭ（Dynamic Random Access Memory ）２５は、シグナルジェネレータ３２から供給される撮像した画像データ、或いはＣＰＵ３１によりフラッシュメモリ２７から読み出され、後述する圧縮／伸長回路２６により伸長処理された画像データを一時的に格納する半導体メモリである。
【００４７】
圧縮／伸長回路２６は、ＤＲＡＭ２５に格納された画像データを符号化により圧縮処理する。具体的には、画像データを所定の符号化方式、すなわち、取り扱う画像の種類（この場合、静止画）に応じた、例えば、ＪＰＥＧ（Joint Photographic Experts Group）アルゴリズムによる８×８画素毎のＤＣＴ（Discrete Cosine Transform：離散コサイン変換）、量子化、ハフマン符号化により圧縮処理（符号化処理）し、この圧縮処理した画像データをフラッシュメモリ２７に出力する。また、フラッシュメモリ２７に格納されている圧縮処理された画像データを復号化して伸長処理し、ＤＲＡＭ２５に格納する。
【００４８】
また、圧縮／伸長回路２６は、複数の圧縮率で画像データをデータ圧縮することが可能であり、低圧縮率でデータ圧縮を行うモード（高画質モード）と高圧縮率でデータ圧縮を行うモード（メモリ容量節約モード）とを備えているが、圧縮／伸長回路２６は、撮影時には、「画質モード」キー１９により「ＦＩＮＥ」（高画質モード）及び「エコノミー」（メモリ容量節約モード）のいずれが選択された場合でも、低圧縮率で画像データを圧縮する。
【００４９】
フラッシュメモリ２７は、圧縮／伸長回路２６により圧縮処理された画像データを複数格納する半導体メモリである。図３は、フラッシュメモリ２７のメモリ構成の一例を示す図である。
図３に示す如く、フラッシュメモリ２７は、撮像した画像の情報を管理するヘッダ部（テーブル）２７Ａと、撮像した画像の画像データが記憶される画像データ記憶部２７Ｂとから構成されている。
【００５０】
ヘッダ部２７Ａは、画像の「ページ番号」と、撮像した画像の画像データが記憶される画像データ記憶部２７Ｂの「先頭アドレス」と、撮像した画像をそれぞれに識別するための「画像種類」と、入力部３０の「画質モード」キー１９で選択された画質レベルを示す「画質モードフラグ」（「画質モード」キー１９で「ＦＩＮＥ」が選択された場合は「Ｈ」、「エコノミー」が選択された場合は「Ｌ」）の各データが対応づけられて複数格納され、画像データ記憶部２７Ｂに画像データが新たに記憶される場合や、記憶されている画像データの態様（データ圧縮率）が変更される毎にヘッダ部２７Ａのヘッダ情報は更新される。
【００５１】
画像データ記憶部２７Ｂは、ヘッダ部２７Ａにアドレス管理され、アドレス順で時系列にブロック単位で画像データを記憶する。
尚、図３に示される例では、画像１、３のデータがデータ記憶部２７Ｂの先頭アドレスＸ1、Ｘ3のブロックに低圧縮率で夫々記憶され、また、画質モードフラグとして「ＦＩＮＥ」を示す「Ｈ」が設定されている。そして、画像２、４のデータがデータ記憶部２７Ｂの先頭アドレスＸ2、Ｘ4のブロックに低圧縮率で夫々記憶され、また、画質モードフラグとして「エコノミー」を示す「Ｌ」が設定されている。
【００５２】
ＲＯＭ（Read Only Memory）２８は、ＣＰＵ３１により実行される各種制御プログラムや、そのプログラム処理で使用されるデータ等を格納しており、各種制御プログラムとしては、例えば、図４のフローチャートに示す撮影時画質変更処理を実行するための撮影時画質変更処理プログラムや図５のフローチャートに示すヘッダ情報変更処理を実行するためのヘッダ情報変更処理プログラム等がある。この各種制御プログラムは、ＣＰＵ３１が読み取り可能なプログラムコードの形態で記憶されている。
【００５３】
ＲＡＭ（Random Access Memory）２９は、ＣＰＵ３１により各種制御処理が実行される際に、処理される各種データを一時的に格納するワークエリアを形成する。
【００５４】
キー入力部３０は、図１に示す、シャッターを所定時間開き、画像の撮像を指示する「シャッター」キー９、「ＤＥＬ」キー１０、「＋」キー１１、「−」キー１２、「ＭＯＤＥ」キー１３、「ＤＳＰ」キー１４、画質変換モードの設定を指示する「画質変換」キー１５、フラッシュメモリ２７のヘッダ部２７Ａの画質モードフラグの変更を指示する「変換実行」キー１６、ファンクション切換キー１８、及び撮影時に、画質レベルを選択するための「画質モード」キー１９により構成され、各キーの入力操作に応じた各種操作信号をＣＰＵ３１に出力する。
【００５５】
ＣＰＵ（Central Processing Unit ）３１は、ＲＯＭ２８に記憶された各種プログラムに基づいて、ＲＡＭ２９のワークメモリを作業領域に使用しつつ、キー入力部３０の各キーの操作に応じた処理を実行して、デジタルカメラ１の各部を制御する。
【００５６】
また、ＣＰＵ３１は、キー入力部３０の「ＤＳＰ」キー１４が押下されると、画像再生処理を実行して、フラッシュメモリ２７から所定の圧縮した画像データを読み出して、圧縮／伸長回路２６に転送し、この圧縮／伸長部回路２６で伸長された画像データをシグナルジェネレータ３２に転送し、シグナルジェネレータ３２でビデオ信号に変換させた後、ＬＣＤ６に出力して画像を表示する。
【００５７】
また、ＣＰＵ３１は、後述する撮影時画質変更処理を実行する。具体的には、ＣＰＵ３１は、キー入力部３０の「シャッター」キー９が押下されると、フラッシュメモリ２７の残メモリ容量を確認し、空き容量（記憶可能メモリ容量）がある場合には、通常の撮影処理を実行する。
【００５８】
即ち、ＣＰＵ３１は、タイミングジェネレータ２４に映像取り込み信号を出力して、タイミングジェネレータ２４からタイミング信号を駆動回路２３に対して出力させることにより、ＣＣＤ２０からバッファ２１、Ａ／Ｄ変換器２２、タイミングジェネレータ２４を介して撮像信号をシグナルジェネレータ３２に入力させ、更に、シグナルジェネレータ３２において色演算処理を行わせて画像データを生成させて、該生成された画像データをＤＲＡＭ２５に格納させ、このＤＲＡＭ２５に格納された画像データを圧縮／伸長回路２６に転送して低圧縮率でデータ圧縮させる。そして、この圧縮された画像データをフラッシュメモリ２７のデータ記憶部２７Ｂに記憶すると共に、ヘッダ部２７Ａの画質モードフラグには、「画質モード」キー１９により「ＦＩＮＥ」が選択されている場合には”Ｈ”を、「エコノミー」が選択されている場合は、”Ｌ”を設定する。
【００５９】
他方、フラッシュメモリ２７に空き容量がない場合には、フラッシュメモリ２７のヘッダ部２７Ａを参照し、画質モードフラグが「エコノミー」を示す”Ｌ”が設定され、かつ先頭アドレスの小さい画像データをデータ記憶部２７Ｂから読出し、この画像データを圧縮／伸長回路２６で伸長させ、伸長された画像データを高圧縮率でデータ圧縮してデータ量を低減し、この再圧縮された画像データをフラッシュメモリ２７のデータ記憶部２７Ｂに格納して新たな画像を記憶可能なメモリ領域を確保する。
【００６０】
また、ＣＰＵ３１は後述するヘッダ情報変更処理を実行して、「画質変更」キー１５及び「画質モード」キー１９の操作に応じて、フラッシュメモリ２７内のヘッダ部２７Ａのヘッダ情報を書き換える。
【００６１】
シグナルジェネレータ３２は、タイミングジェネレータ２４を介して供給される撮像信号（デジタル信号）に対して色演算処理を行ない、輝度信号（Ｙデータ）と色信号（Ｃデータ）により構成される画像データを生成し、生成した画像データ（Ｙデータ及びＣデータ）をＤＲＡＭ２５に出力する。
【００６２】
また、シグナルジェネレータ３２は、ＣＰＵ３１によりＤＲＡＭ２５から供給された画像データに同期信号を付加する等してビデオ信号（デジタル信号）を生成して一旦、ＶＲＡＭ３３に格納し、その後、ＶＲＡＭ３３に格納したビデオ信号をＤ／Ａ変換器３４及びバッファ３５を介してＬＣＤ６に出力する。
【００６３】
ＶＲＡＭ（Video Random Access Memory）３３は、シグナルジェネレータ３２により生成されたビデオ信号（表示データ）を一時的に格納するビデオメモリである。
【００６４】
Ｄ／Ａ（Digital to Analog）変換器３４は、シグナルジェネレータ３２によりＶＲＡＭ３３から供給されるビデオ信号（表示データ）をデジタル信号からアナログ信号に変換し、バッファ３５を介してＬＣＤ６に出力する。
【００６５】
ＬＣＤ６は、Ｄ／Ａ変換器３４及びバッファ３５を介して入力されるビデオ信号（表示データ）に基づいて液晶を駆動して画像を表示する。
【００６６】
Ｉ／Ｏ（Input / Output）ポート３６は、当該デジタルカメラ１とシリアル入出力端子３６ａ及びケーブルを介して接続された外部機器との間で授受されるシリアルデータ（画像データ、制御信号など）を制御するインターフェースである。シリアル入出力端子３６ａには、例えば、ＲＳ２３２Ｃ（シリアル形式）などのケーブルが接続可能である。
【００６７】
次に、本実施の形態のデジタルカメラの動作を説明する。
図４は、ＣＰＵ３１により実行される撮影時画質変更処理を説明するためのフローチャートである。以下、図４を参照して当該撮影時画質変更処理を説明する。
【００６８】
図４において、まず、ＣＰＵ３１は、キー入力部３０のキー入力待ちとなり（ステップＳ１）、キー入力があった場合はステップＳ２に移行して、そのキー入力が「シャッター」キー９の入力であるか否かを判断し、「シャッター」キー９である場合はステップＳ３に移行する一方、「シャッター」キー９の入力でない場合は、ステップＳ１２に移行して、ステップＳ１で為されたキー操作に応じた処理を実行して当該フローを終了する。
【００６９】
ステップＳ３では、ＣＰＵ３１は、フラッシュメモリ２７のデータ記憶部２７Ｂの容量がＦＵＬＬか否か、即ち残メモリ容量（記憶可能メモリ容量）があるか否かを判断し、容量がＦＵＬＬである場合はステップＳ４に移行し、他方、ＦＵＬＬでない場合は、ステップＳ１１に移行して通常の撮影処理を実行する。
【００７０】
即ち、ステップＳ１１の撮影処理では、ＣＰＵ３１は、タイミングジェネレータ２４に映像取り込み信号を出力して、タイミングジェネレータ２４からタイミング信号を駆動回路２３に対して出力させることにより、ＣＣＤ２０からバッファ２１、Ａ／Ｄ変換器２２、タイミングジェネレータ２４を介して撮像信号をシグナルジェネレータ３２に入力させる。そして、シグナルジェネレータ３２において色演算処理を行わせて画像データを生成させ、該生成された画像データをＤＲＡＭ２５に格納させ、このＤＲＡＭ２５に格納された画像データを圧縮／伸長回路２６に転送する。次いで、ＣＰＵ３１は、「画質モード」キー１９により「ＦＩＮＥ」及び「エコノミー」のいずれが選択されている場合でも、圧縮／伸長回路２６によってＦＩＮＥモード（低圧縮率）で画像データを圧縮させ、この圧縮された画像データをフラッシュメモリ２７のデータ記憶部２７Ｂに格納すると共に、ヘッダ部２７Ａにこの画像データに関するヘッダ情報を書き込む。この場合、ヘッダ部２７Ａの画質モードフラグには、「画質モード」キー１９により「ＦＩＮＥ」が選択された場合には、”Ｈ”を「エコノミー」が選択された場合には、”Ｌ”を設定する。
【００７１】
また、容量がＦＵＬＬである場合は、以下のステップＳ４〜Ｓ１０により、フラッシュメモリ２７に［ＦＩＮＥ」モード（低圧縮率）で記憶されている画像データを「エコノミー」モード（高圧縮率）で再圧縮してデータ量を低減した後、フラッシュメモリ２７に再記憶して記憶可能なメモリ領域を確保し、そして、新たに撮影した画像の画像データを、確保されたメモリ領域に記憶する処理を実行する。
【００７２】
まず、ステップＳ４では、ＣＰＵ３１は、フラッシュメモリ２７のヘッダ部２７Ｂの内容を参照し、画質変更対象画像として、画質モードフラグがエコノミーを示す「Ｌ」が設定され、かつ先頭アドレスの若い画像データをデータ記憶部２７Ｂから読出し、この画像データを圧縮／伸長回路２６に転送し、データ伸長処理を実行させる。
【００７３】
次いで、ＣＰＵ３１は、伸長された画像データを「エコノミーモード」、即ち、高圧縮率で再圧縮させる（ステップＳ６）。そして、読出された画像データが格納されていたフラッシュメモリ２７のデータ記憶部２７Ｂのブロックのデータを消去する。続いて、ＣＰＵ３１は、このエコノミーモード（高圧縮率）で再圧縮した画像データをフラッシュメモリ２７のデータ記憶部２７Ｂの対応する領域に格納する（ステップＳ７）。
【００７４】
そして、ＣＰＵ３１は、新たな画像データを記憶する処理を行う。すなわち、ＣＰＵ３１は、ＣＣＤ２０からバッファ２１、Ａ／Ｄ変換器２２、タイミングジェネレータ２４を介して撮像信号をシグナルジェネレータ３２に入力させ、シグナルジェネレータ３２において新たな画像データを生成させて、該生成された画像データをＤＲＡＭ２５に格納する。そして、ＤＲＡＭ２５に格納された画像データを圧縮／伸長回路２６に転送して、画像データをフラッシュメモリの残容量に応じたデータ圧縮率で圧縮させ（ステップＳ９）、この圧縮された画像データをフラッシュメモリ２７に格納する。
【００７５】
次いで、ＣＰＵ３１は、再圧縮された画像データ及び新たに格納された画像データに関するヘッダ部２７Ｂのヘッダ情報の書き換え及び書込を行い、当該フローを終了する。この場合、再圧縮された画像データは、フラッシュメモリ２７のデータ記憶部２７Ｂに記憶される実際の画質レベルがエコノミーモード（高圧縮率）となっているので、再度画質レベルが変更されるのを防止するために、ヘッダ部２７Ａの画質モードフラグを、「Ｌ」から実際にエコノミーモードの画質で記憶されていることを示す「ＲＬ（リアル・エコノミー）」に変更する。
【００７６】
以上の構成によれば、フラッシュメモリ２７に空き容量がある場合には、撮影の際には、「画質モード」キー１９により「ＦＩＮＥ」及び「エコノミー」のいずれが選択されている場合でも、ＦＩＮＥモード（低圧縮率）で画像データを圧縮してフラッシュメモリ２７に格納し、一方、ヘッダ部２７Ａの画質モードフラグには、「画質モード」キー１９により「ＦＩＮＥ」が選択された場合には、”Ｈ”を「エコノミー」が選択されている場合は、”Ｌ”を書き込む構成である。即ち、メモリに空き容量がある場合は、すべてＦＩＮＥの画質で、画像を記憶し、画質モードフラグのみ選択された画質モードを示す値を書き込む構成である。
【００７７】
また、フラッシュメモリ２７に空き容量がない場合に、撮影が指示されると、フラッシュメモリのヘッダ部２７Ａを参照し、画質モードフラグが「エコノミー」に設定され、かつ先頭アドレスの若い画像データをデータ記憶部２７Ｂから読出し、撮影した画像データを格納するのに必要なメモリ領域を確保するため、ＦＩＮＥモードで記録されている画像データをエコノミーモードで再圧縮する。
【００７８】
すなわち、メモリに空き容量がない場合には、撮影の際にエコノミーが選択された画像を、撮影の古いものから順番に、実際にエコノミーの画質に変換してメモリ領域を確保して新しい画像を記憶する構成である。
【００７９】
したがって、フラッシュメモリの空き容量がある時は、常に、高画質で画像データを記憶することが可能となり、また、フラッシュメモリの空き容量がない場合は、撮影時に低画質でもよいと操作者が考えていた画像データを、古いデータから順に、高画質から低画質に変換して（再圧縮し）メモリ領域を確保する構成であるので、自動的に撮影可能枚数を確保することができ、操作者の使い勝手がよくなる。
【００８０】
尚、上記した構成では、撮影時に、フラッシュメモリ２７のメモリ容量を確認してフラッシュメモリ２７に記憶された画像データの画質レベルを変更する構成であるが、この画質レベルを変更する処理の実行は、撮影時に限られるものではなく、再生モード時や電源投入時に行ってもよい。
【００８１】
図５は、ＣＰＵ３１により実行されるヘッダ情報変更処理を説明するためのフローチャートである。以下、図５を参照してヘッダ情報変更処理を説明する。
【００８２】
図５において、まず、ＣＰＵ３１は、キー入力部３０のキー入力待ちとなり（ステップＳ２０）、キー入力があった場合はステップＳ２１に移行して、そのキー入力が「画質変換」キー１５の入力であるか否かを判断し、「画質変換」キー１５の入力である場合は、ステップＳ２２に移行する一方、「画質変換」キー１５の入力でない場合は、ステップＳ２７に移行して、ステップＳ１で為されたキー操作に応じた処理を実行して当該フローを終了する。
【００８３】
ステップＳ２２では、「＋」キー１１及び「ー」キー１２の操作によりフラッシュメモリ２７のヘッダ部２７Ｂの画質モードフラグを変更する画像を選択する（ステップＳ２２）。次いで、「変換実行」キー１６が操作されて、ヘッダ部２７Ａの画質モードフラグを「ＦＩＮＥ」→「エコノミー」に変更する指示があった場合には、ステップＳ２４に移行して、ヘッダ部２７Ａにおいて、選択された画像の画質モードフラグを「Ｈ」から「Ｌ」に変更する処理を実行してステップＳ２５に移行する。一方、画質モードフラグを「エコノミー」→「ＦＩＮＥ」に変更する指示があった場合には、ステップＳ２６に移行して選択された画像の画質モードフラグを「Ｌ」から「Ｈ」に変更する処理を実行してステップＳ２５に移行する。
【００８４】
ステップＳ２５では、「モード解除」キーの入力があるか否かを判断して、「モード解除」キーの入力がある場合は当該フローを終了する一方、「モード解除」キーの入力が無い場合は、ステップＳ２２に移行して、再度、画質モードフラグを変更する処理を行う。
【００８５】
以上説明したように、上記したヘッダ情報変更処理においては、フラッシュメモリ内のヘッダ部２７Ａの画質モードフラグを変更することが可能な構成である故、操作者が、撮影時には高画質のまま保存したいと考えていたが低画質に変更してもよいと考えが変わった場合や、逆に、撮影時には低画質に変更してもよいと考えていたが高画質のまま保存したいと考えが変わった場合に対処可能となり、操作者の使い勝手が良くなる。
【００８６】
尚、上記した実施の形態では、画質レベルをエコノミー（高圧縮率モード）とＦＩＮＥ（低圧縮率モード）の２レベルとしたが、本発明はこれに限定されるものではなく、画質レベルを３レベル、若しくは３レベル以上としてもよいことは言うまでもない。
【００８７】
尚、上記した実施の形態では、圧縮した画像データをフラッシュメモリに記憶する構成としたが、本発明はこれに限定されるものではなく、圧縮した画像データを他の半導体メモリや磁気的、光学的記憶媒体に記憶する構成としてもよく、更に、これらの半導体メモリや記憶媒体はデジタルカメラに対して着脱自在に装着可能な構成であってもよい。
【００８８】
（第２の実施の形態）
次に、図６〜図９を参照して、第２の実施の形態を説明する。
本第２の実施の形態では、デジタルカメラとパーソナルコンピュータとからなる画像処理システムにおいて、撮像された画像データをデジタルカメラからパーソナルコンピュータに転送する場合について述べる。
【００８９】
まず、構成を説明する。
図６は、第２の実施の形態におけるデジタルカメラ５０の内部回路構成を示すブロック図である。
なお、この図６において、上記第１の実施の形態におけるデジタルカメラ１のブロック構成（図２参照）と同一の構成要素には同一番号を付し、要部のみを説明するものとする。
【００９０】
図６においてデジタルカメラ５０は、前記図２に示したＬＣＤ６、ＣＣＤ２０、バッファ２１、Ａ／Ｄ変換器２２、駆動回路２３、タイミングジェネレータ２４、ＤＲＡＭ２５、圧縮／伸長回路２６、フラッシュメモリ２７、ＲＡＭ２９、キー入力部３０、シグナルジェネレータ３２、ＶＲＡＭ３３、Ｄ／Ａ変換器３４、バッファ３５、及びＩ／Ｏポート３６と、ＲＯＭ４０、ＣＰＵ４１、及び赤外線通信部４２とにより構成されている。
【００９１】
ＲＯＭ４０は、当該デジタルカメラ５０と外部機器との間で行なわれるデータ通信（例えば、シリアル入出力端子３６ａにＲＳ２３２Ｃなどのケーブルを介して接続された外部機器と当該デジタルカメラ５０との間で行なわれるデータ通信（有線）や、赤外線通信機能を備える外部機器と当該デジタルカメラ５０との間で行なわれる赤外線によるデータ通信（無線））を制御する各種通信制御処理（後述する画像転送処理（図８参照）を含む）などの、ＣＰＵ４１により実行されるデジタルカメラ５０の各部を制御するための各種制御プログラムを格納する。この各種制御プログラムは、ＣＰＵ４１が読み取り可能なプログラムコードの形態で記憶されている。
【００９２】
ＣＰＵ４１は、ＲＯＭ４０に格納される各種制御プログラムに従ってデジタルカメラ５０の各部を制御する中央演算処理装置である。具体的には、ＣＰＵ４１は、ファンクション切換キー１８がスライド操作されて通信モードが指定されると、当該デジタルカメラ５０と外部機器との間で行なわれるデータ通信の通信形態に応じた通信制御処理プログラムをＲＯＭ４０から読み出して実行し、例えば、後述する画像転送処理（図８参照）を実行する。
【００９３】
この画像転送処理において、ＣＰＵ４１は、「＋」キー１１が押圧操作された場合は、次の「ページ番号」の画像データをフラッシュメモリ２７から読み出してＬＣＤ６に再生表示し、また、「−」キー１２が押圧操作された場合は、１つ前の「ページ番号」の画像データをフラッシュメモリ２７から読み出してＬＣＤ６に再生表示する。
【００９４】
そして、ＣＰＵ４１は、ＬＣＤ６に表示された画像をパーソナルコンピュータ１００等の外部機器に転送するとして「シャッター」キー９が押圧操作されると、当該画像データをデジタルカメラ５０から通信ケーブル、Ｉ／Ｏポート３６を介してパーソナルコンピュータ１００に送信する。
【００９５】
この際、ＣＰＵ４１は、転送指定された画像データについて、フラッシュメモリ２７内のヘッダ部２７Ａ（図３参照）に記憶された「画質モードフラグ」（「画質モード」キー１９で「ＦＩＮＥ」が選択された場合は「Ｈ」、「エコノミー」が選択された場合は「Ｌ」）を判別し、高画質モードのまま転送することを指示された場合は、「画質モードフラグ」が「Ｈ」，「Ｌ］のいずれであっても、フラッシュメモリ２７内の画像データ記憶部２７Ｂに記憶された高画質の画像データを圧縮率を変更せずに転送する。
【００９６】
すなわち、低圧縮率でデータ圧縮を行うモード（高画質モード）で圧縮された画像データは、前記「画質モードフラグ」で「Ｌ」（「エコノミー」（メモリ容量節約モード）：相対的に低画質な画質モード）が指定されていたとしても、高画質な画像データのままパーソナルコンピュータ１００に転送される。
【００９７】
また、ＣＰＵ４１は、送信する際に低画質モードで転送することを指示された場合は、当該画像データを圧縮／伸長回路２６によって高圧縮率でデータ圧縮してデータ量を低減した後、パーソナルコンピュータ１００に転送する。
【００９８】
赤外線通信部４２は、ＩｒＤＡ（Infrared Data Association ）方式に対応する赤外線通信を制御するためのインターフェース回路である。
【００９９】
Ｉ／Ｏポート３６は、当該デジタルカメラ５０とシリアル入出力端子３６ａ及びケーブルを介して接続された外部機器との間で授受されるシリアルデータ（画像データ、制御信号など）を制御するインターフェースである。
【０１００】
以上が本実施の形態におけるデジタルカメラ５０の構成である。
【０１０１】
次に、図７は、デジタルカメラ５０の外部機器として設けられたパーソナルコンピュータ１００の内部回路構成を示すブロック図である。
図７においてパーソナルコンピュータ１００は、入力装置１１１、ＲＡＭ１１２、Ｉ／Ｏポート１１３、圧縮／伸長回路１１４、赤外線通信部１１５、ＣＰＵ１１６、表示装置１１７、及び記憶装置１１８により構成されており、各部はバス１２０によって接続されている。
【０１０２】
入力装置１１１は、キー入力部やマウスなどによって構成されており、キー入力部は、ファンクションキー、数値キー、文字キー及び他キーを有し、ユーザーによる各キー入力操作に応じた各種操作信号をＣＰＵ１１６に出力する。また、マウスは、表示装置１１７の表示画面に表示されるアイコンや操作メニューの選択などを行なうポインティングデバイスであり、相対位置座標データ及びクリック信号などをＣＰＵ１１６に出力する。
【０１０３】
ＲＡＭ１１２は、ＣＰＵ１１６により各種制御処理が実行される際に、処理される各種データを一時的に格納するワークエリアを形成する。
【０１０４】
Ｉ／Ｏポート１１３は、当該パーソナルコンピュータ１００とシリアル入出力端子１１３ａ及びケーブルを介して接続された外部機器（例えば、デジタルカメラ５０など）との間で授受されるシリアルデータを制御するインターフェースである。
【０１０５】
圧縮／伸長回路１１４は、外部機器からＩ／Ｏポート１１３、または赤外線通信部１１５を介して当該パーソナルコンピュータ１００に入力された画像データ、或いはＣＰＵ１１６により記憶装置１１８を介して記憶媒体１１９から読み出された画像データが圧縮処理されている場合に、ＣＰＵ１１６からの指示に基づいてこの画像データを復号化して伸長処理し、ＲＡＭ１１２に展開する。また、逆に、ＣＰＵ１１６からの指示に基づいてＲＡＭ１１２に展開されている画像データを所定の符号化方式により圧縮処理する。圧縮処理された画像データは、ＣＰＵ１１６により記憶装置１１８を介して記憶媒体１１９に格納されたり、或いは、Ｉ／Ｏポート１１３、または赤外線通信部１１５を介して外部機器に送信される。
【０１０６】
赤外線通信部１１５は、ＩｒＤＡ方式に対応する赤外線通信を制御するためのインターフェース回路である。
【０１０７】
ＣＰＵ１１６は、記憶媒体１１９に格納される各種制御プログラムやアプリケーションプログラムなどに従ってパーソナルコンピュータ１００の各部を制御する中央演算処理装置である。具体的にはＣＰＵ１１６は、入力装置１１１から通信モードに移行する旨が指示されると、当該パーソナルコンピュータ１００と外部機器との間で行なわれるデータ通信の通信形態に応じた通信制御処理プログラムを記憶装置１１８を介して記憶媒体１１９から読み出して実行し、当該パーソナルコンピュータ１００と外部機器との間で行なわれるデータ通信を制御する。
【０１０８】
表示装置１１７は、ＣＲＴ（Cathode Ray Tube）や液晶ディスプレイなどにより構成され、ＣＰＵ１１６によりＲＡＭ１１２から読み出されて入力される表示データ（例えば、画像データなど）を表示画面に表示する。
【０１０９】
記憶装置１１８は、プログラムやデータなどが記憶される記憶媒体１１９を有しており、この記憶媒体１１９は磁気的、光学的記憶媒体、若しくは半導体メモリにより構成されている。
【０１１０】
なお、上記記憶媒体１１９は記憶装置１１８に固定的に設けられたものであってもよいし、或いは、記憶装置１１８に着脱自在に装着するものであってもよい。
【０１１１】
この記憶媒体１１９には、前述した当該パーソナルコンピュータ１００とデジタルカメラ５０との間で行なわれるデータ通信を制御する通信制御処理などの、ＣＰＵ１１６により実行されるデジタルカメラ５０の各部を制御するための各種制御プログラムがＣＰＵ１１６により読み取り可能なプログラムコードの形態で記憶されている。
【０１１２】
以上が本実施の形態におけるパーソナルコンピュータ１００の構成である。
【０１１３】
次に、動作を説明する。
まず、デジタルカメラ５０のＣＰＵ４１において実行される画像転送処理について、図８に示すフローチャートに基づいて説明する。
【０１１４】
ＣＰＵ４１では、ファンクション切換キー１８がスライド操作されて通信モードが指定されると、ＲＯＭ４０に格納されている画像転送に関するプログラムを読み出して、その処理を開始する。
【０１１５】
まず、ＣＰＵ４１は初期処理（ステップＳ３０）を行なった後、当該デジタルカメラ５０にパーソナルコンピュータ１００（外部機器）が接続されているか否かを判別する（ステップＳ３１）。この判別は、Ｉ／Ｏポート３６に、パーソナルコンピュータ１００から通信ケーブル及びシリアル入出力端子３６ａを介して所定の接続信号が入力されているか否かを判別することにより行なわれ、その結果、当該デジタルカメラ５０にパーソナルコンピュータ１００が接続されていなければ、引き続いてパーソナルコンピュータ１００が接続されているか否かの監視を行なう。
【０１１６】
また、ＣＰＵ４１は、上記ステップＳ３１においてパーソナルコンピュータ１００が接続されていると判別した場合は、次いで、転送画像選択モードに移行して（ステップＳ３２）、フラッシュメモリ２７に格納された、複数の画像データの中から、まず、ヘッダ部２７Ａ（図３参照）の「ページ番号」が”１”の画像１の画像データを読み出して圧縮／伸長回路２６で伸長処理を行なわせた後、シグナルジェネレータ３２により同期信号を付加する等してビデオ信号に変換させてＬＣＤ６に出力し、前記画像データを表示画面に再生表示する。
【０１１７】
その後、ＣＰＵ４１は、「シャッター」キー９が押圧操作されて転送が指示されたか否かを判別し（ステップＳ３３）、「シャッター」キー９が押圧操作されていない場合は、次いで、「＋」キー１１、或いは「−」キー１２が押圧操作されたか否かを判別する（ステップＳ３４）。
【０１１８】
そして、ＣＰＵ４１は、上記両キー１１，１２とも押圧操作されていないと判別した場合は上記ステップＳ３３に戻り、また、上記両キー１１，１２のいずれかが押圧操作されたと判別した場合は、押圧操作されたキーに応じて、「＋」キー１１が押圧操作された場合は画像送り処理を、また、「−」キー１２が押圧操作された場合は画像戻し処理を実行して次の画像を表示し（ステップＳ３５）、上記ステップＳ３３に戻る。
【０１１９】
すなわち、ＣＰＵ４１では、「＋」キー１１が押圧操作された場合は、次の「ページ番号」の画像データ、例えば、現在、ＬＣＤ６に再生表示されている画像データの「ページ番号」が“１”である場合は、「ページ番号」“２”の画像データをフラッシュメモリ２７から読み出してＬＣＤ６に再生表示し、また、「−」キー１２が押圧操作された場合は、１つ前の「ページ番号」の画像データをフラッシュメモリ２７から読み出してＬＣＤ６に再生表示する。
【０１２０】
このような制御構成とすることにより、ユーザーは、デジタルカメラ５０のフラッシュメモリ２７に格納された複数の画像データを順次、ＬＣＤ６に切換表示させながら転送したい画像を検索することができる。
【０１２１】
また、ＣＰＵ４１は、上記ステップＳ３３において「シャッター」キー９が押圧操作されたと判別した場合は、当該「シャッター」キー９が押圧操作された時点でデジタルカメラ５０のＬＣＤ６に表示されている画像が転送画像として指定されたとして、当該画像データについて、フラッシュメモリ２７内のヘッダ部２７Ａ（図３参照）に記憶された「画質モードフラグ」（「画質モード」キー１９で「ＦＩＮＥ」が選択された場合は「Ｈ」、「エコノミー」が選択された場合は「Ｌ」）を判別する（ステップＳ３６）。
【０１２２】
次いで、ＣＰＵ４１は、ステップＳ３６によって判別された結果に基づいて、転送指定された画像データが、撮影時にいずれの画質モードで撮像されたかを表示すると同時に、フラッシュメモリ２７に記憶した際の高画質モードのまま送信するか否かの確認表示を行う（ステップＳ３７）。そして、ＣＰＵ４１は、このステップＳ３７の確認表示に対してユーザーが”ＯＫ”を選択するか否かの判別（ステップＳ３８）を、「シャッター」キー９の押圧操作（”ＯＫ”）、あるいは「ＤＥＬ」キー１０の押圧操作（”ＮＯ”）を判別することによって行う。
【０１２３】
ステップＳ３８において、「シャッター」キー９が押圧操作され、確認表示に対して”ＯＫ”が選択されたと判別された場合には、当該画像データについて、ヘッダ部２７Ａに記憶された「画質モードフラグ」が「Ｈ」，「Ｌ］のいずれであってもＣＰＵ４１は、フラッシュメモリ２７内の画像データ記憶部２７Ｂに記憶された高画質の画像データを、圧縮率を変更せずにデジタルカメラ５０から通信ケーブル、Ｉ／Ｏポート３６を介してパーソナルコンピュータ１００に送信する（ステップＳ３９）。
【０１２４】
すなわち、低圧縮率でデータ圧縮を行うモード（高画質モード）で圧縮された画像データは、前記「画質モードフラグ」で「Ｌ」（「エコノミー」（メモリ容量節約モード）：相対的に低画質な画質モード）が指定されていたとしても、高画質な画像データのままパーソナルコンピュータ１００に転送される。
【０１２５】
また、ステップＳ３８において、「ＤＥＬ」キー１０が押圧操作され、確認表示に対して”ＮＯ”が選択されたと判別された場合には、ＣＰＵ４１は当該画像データを圧縮／伸長回路２６によって高圧縮率でデータ圧縮してデータ量を低減し、この再圧縮された画像データ（低画質モードの画像データ）をデジタルカメラ５０から通信ケーブル、Ｉ／Ｏポート３６を介してパーソナルコンピュータ１００に送信する（ステップＳ４０）。
【０１２６】
ステップＳ３９あるいはステップＳ４０により当該画像データの転送が終了すると、ＣＰＵ４１は、ファンクション切換キー１８がスライド操作されて通信モード以外のモードになっているか否かを判別して（ステップＳ４１）、通信モード以外のモードになっていると判別した場合は、通信モードを終了し、通信モードのままであると判別した場合は、ステップＳ３３に戻り画像転送処理を続行する。
【０１２７】
以上説明したように、デジタルカメラ５０及びパーソナルコンピュータ１００の両シリアル入出力端子３６ａ，１１３ａ間をケーブルで接続し、両者の間で有線通信を行なうことにより構築される画像処理システムによれば、ＣＰＵ４１は、転送指定された画像データについて、フラッシュメモリ２７内のヘッダ部２７Ａ（図３参照）に記憶された「画質モードフラグ」を判別し、高画質モードで送信する指示がされている場合には、当該画像データの「画質モードフラグ」が「Ｈ」，「Ｌ］のいずれであっても、画像データ記憶部２７Ｂに記憶された高画質の画像データを圧縮率を変更せずに転送する。
【０１２８】
すなわち、低圧縮率でデータ圧縮を行うモード（高画質モード）で圧縮された画像データは、前記「画質モードフラグ」で「Ｌ」（相対的に低画質な画質モード）が指定されていたとしても、高画質な画像データのままパーソナルコンピュータ１００に転送される。
【０１２９】
したがって、デジタルカメラ内部のフラッシュメモリ等のメモリ容量に制限をうけて、低圧縮率で記憶した画像データを高圧縮率に変換することで画質が低下するということがなく、撮影時には相対的に低画質な画質でよいと指定された画像データでも高画質の画像データとしてコンピュータに転送することが可能であるので、コンピュータによる画像編集、印刷等の各種処理時に高画質な画像データとして扱うことができる等の利点がある。
【０１３０】
なお、本実施の形態では、図９（ａ）に示すように、デジタルカメラ５０とパーソナルコンピュータ１００をＲＳ２３２Ｃなどの通信ケーブルを介して接続する有線通信による画像転送処理を説明したが、同図（ｂ）に示すようなＩｒＤＡ方式の赤外線通信による形態としてもよい。また、前記赤外線通信以外の無線通信や光通信等による通信形態に対しても本発明を適用可能である。
【０１３１】
また、同図（ｃ）に示すように、デジタルカメラ、パーソナルコンピュータ（ＰＣ）のいずれもがデータの書き込み読み出しを行うことの可能なメモリカードにデジタルカメラで撮像した画像データを記憶して、画像データを転送する際には該メモリカードをデジタルカメラから取り外してＰＣに装着し、ＰＣに画像データを転送する方式に対しても本発明は有効である。
【０１３２】
更に、デジタルカメラとＰＣの双方にモデムを内蔵した構成とすれば、デジタルカメラ−公衆回線間、及びＰＣ−公衆回線間をそれぞれケーブルで接続して同図（ｄ）に示すような公衆回線網を介する画像転送処理を行うことができ、このような通信形態における画像転送時にも、本発明を適用することができる。
【０１３３】
そして、これら、図９（ｂ）〜（ｄ）の接続形態により構築される画像処理システムにおいても本実施の形態の場合を示した同図（ａ）の接続形態による画像処理システムと同様の効果を得ることができる。
【０１３４】
以上、本発明を第１、第２の実施の形態に基づいて具体的に説明したが、本発明は上記実施の形態に限定されるものではなく、その要旨を逸脱しない範囲で適宜に変更可能であることは勿論である。
【０１３５】
例えば、上記第１、第２の実施の形態においては、フラッシュメモリ２７内の撮像した画像の情報を管理するヘッダ部２７Ａと、撮像した画像の画像データが記憶される画像データ記憶部２７Ｂを図３のようなデータ構造としたが、フラッシュメモリ２７内のデータ構造はこれに限定されることなく、他の付加的情報に関するデータ（例えば、撮影日時等）を含むものとしてもよい。
【０１３６】
また、本発明は、例えば、ＣＣＤカメラを備えたＰＣＭＣＩＡ（Personal Computer Memory Card International Association ）規格のＰＣカメラカードなどを装着することにより撮像機能（画像入力機能）を有することとなるパーソナルコンピュータなどの電子機器に対しても適用可能である。
【０１３７】
また、上記第１、第２の実施の形態におけるデジタルカメラでは、各種制御プログラムを記憶媒体であるＲＯＭに格納する構成としたが、記憶媒体はＲＯＭに代表される半導体メモリに限定されるものではなく、磁気的、光学的記憶媒体などであってもよい。また、この記憶媒体は、デジタルカメラに対して着脱自在に装着可能な構成であってもよい。
【０１３８】
【発明の効果】
請求項１記載の画像データ記憶装置によれば、指示された画像の圧縮率よりも低い圧縮率で撮像した画像データを記憶媒体に記憶する構成である故、常に、高画質で画像データを記憶することが可能となり、操作者の使い勝手が良くなる。
また、記憶媒体のメモリ容量を確認して、残メモリ容量がないと判断した場合に、記憶媒体に記憶されている画像データをより低い画質レベルで再圧縮する構成である故、自動的に、新たに撮影する画像を記憶するための記憶領域を確保することが可能となり、操作者の使い勝手が良くなる。
【０１４０】
請求項２又は３記載の画像データ記憶装置によれば、記憶媒体の圧縮率領域に画像データの圧縮率の情報を記憶する一方、画像領域に圧縮画像データを記憶する構成であるので、記憶媒体において、所望の圧縮率の画像を指定することが容易となる。
【０１４１】
請求項４又は５記載の画像データ記憶装置及び請求項６又は７記載の画像データ記憶方法によれば、記憶媒体の圧縮率領域に記憶した圧縮率情報を変更可能な構成である故、操作者が、撮影時には高画質のまま保存したいと考えていたが、低画質に変更してもよいと考える場合や、逆に、撮影時には低画質に変更してもよいと考えていたが、高画質のまま保存したいと考えが変わった場合に対処可能となり、使い勝手が良くなる。
【０１４２】
請求項８記載の撮像方法によれば、新たに撮像する画像を記憶するための所定容量を自動的に確保することができ、予期しないシャッターチャンスで撮影時にメモリ残量の確認をできなかった場合等にも、操作者の意志に反して必要な画像に上書きされてしまう、撮像した画像が保存されない等の問題点を解消することができ、操作者の使い勝手が良くなる。
【０１４３】
請求項９記載の撮像方法によれば、撮影時に誤った撮像モード指定をしてしまった場合、撮影時には相対的に低画質な画像でよいと判断したが後に高画質な画像が必要になった場合、予期しないシャッターチャンスで撮影時に操作者の意志で撮像モードを指定できなかった場合等にも、撮像画像を相対的に高画質な画像データとしてメモリに保存し、撮影後に所定の操作により当該撮像画像を相対的に高画質な画像データのまま保存するようにモード変更をすることができる。
【０１４４】
請求項１０記載の撮像方法及び請求項１１記載の記憶媒体によれば、撮影時には相対的に低画質な画質でよいと指定された画像データでも高画質の画像データとしてコンピュータに転送することが可能であるので、コンピュータによる画像編集、印刷等の各種処理時に高画質な画像データとして扱うことができる等の利点がある。
【図面の簡単な説明】
【図１】本発明の第１の実施の形態に係るデジタルカメラ１の斜視図。
【図２】本発明の第１の実施の形態に係るデジタルカメラ１の回路構成を示すブロック図。
【図３】図２のフラッシュメモリ２７のメモリ構成例を示す図。
【図４】ＣＰＵ３１の制御により実行される撮影時画質変更処理を説明するためのフローチャート。
【図５】ＣＰＵ３１の制御により実行されるヘッダ情報変更処理を説明するためのフローチャート。
【図６】本発明の第２の実施の形態に係るデジタルカメラ５０の回路構成を示すブロック図。
【図７】本発明の第２の実施の形態に係るパーソナルコンピュータ１００の内部回路構成を示すブロック図である。
【図８】ＣＰＵ４１の制御により実行される選択画像転送処理を説明するためのフローチャート。
【図９】本発明の第２の実施の形態に係るデジタルカメラ５０とパーソナルコンピュータ１００の接続形態の様々な例を示す図。
【符号の説明】
１        デジタルカメラ
４、５    ケース
６        ＬＣＤ
７        撮像レンズ
８        電源スイッチ
９        「シャッター」キー
１０      「ＤＥＬ」キー
１１      「＋」キー
１２      「−」キー
１３      「ＭＯＤＥ」キー
１４      「ＤＳＰ」キー
１５      「画質変換」キー
１６      「変換実行］キー
１７      開閉蓋
１８      ファンクション切換キー
１９      「画質モード」キー
２０      ＣＣＤ
２１      バッファ
２２      Ａ／Ｄ変換器
２３      駆動回路
２４      タイミングジェネレータ
２５      ＤＲＡＭ
２６      圧縮／伸長回路
２７      フラッシュメモリ
２８      ＲＯＭ
２９      ＲＡＭ
３０      キー入力部
３１      ＣＰＵ
３２      シグナルジェネレータ
３３      ＶＲＡＭ
３４      Ｄ／Ａ変換器
３５      バッファ
３６      Ｉ／Ｏポート
４０      ＲＯＭ
４１      ＣＰＵ
４２      赤外線通信部
５０      デジタルカメラ
１００      パーソナルコンピュータ
１１１      入力装置
１１２      ＲＡＭ
１１３      Ｉ／Ｏポート
１１４      圧縮／伸長回路
１１５      赤外線通信部
１１６      ＣＰＵ
１１７      表示装置
１１８      記憶装置
１１９      記憶媒体
【図１】
0003777721.tif 000002
【図２】
0003777721.tif 000003
【図３】
0003777721.tif 000004
【図４】
0003777721.tif 000005
【図５】
0003777721.tif 000006
【図６】
0003777721.tif 000007
【図７】
0003777721.tif 000008
【図８】
0003777721.tif 000009
【図９】
0003777721.tif 000010